(57)【要約】本発明に係る方法は、ユーザがネットワーク登録を行う際、ＨＳＳが、ユーザ静的ＩＰアドレスと、対応するＡＰＮの情報とを含むユーザ加入データを、ＭＭＥにダウンロードし、前記ＭＭＥが、デフォルトベアラ確立要求メッセージによって、ユーザ静的ＩＰアドレス、および、対応するＡＰＮの情報を、Ｓ−ＧＷに送信し、前記Ｓ−ＧＷが、ユーザ静的ＩＰアドレス、対応するＡＰＮの情報、および、該ユーザにサービスするＳ−ＧＷのアドレスを、ユーザ静的ＩＰアドレスに対応するＡＰＮに対応するＰ−ＧＷに送信し、前記Ｐ−ＧＷが、ユーザ静的ＩＰアドレス、対応するＡＰＮの情報、および、該ユーザにサービスするＳ−ＧＷのアドレスに従って、デフォルトベアラを確立する、ことを含む。本発明は、比較的簡単な方式で、ユーザ静的ＩＰアドレスのパケットデータアドレッシングの課題を解決したとともに、プロセスが簡単で使いやすいため、優れた適用性を有する。
2010539758.tif 000002
【特許請求の範囲】
【請求項１】
ＬＴＥシステムにおいて、ユーザ静的ＩＰアドレスのアドレッシングをサポートする方法であって、
ユーザがネットワーク登録を行う際、ホーム加入者サーバ（ＨＳＳ）は、ユーザ静的ＩＰアドレスと、対応するアクセスポイントネーム（ＡＰＮ）の情報とを含むユーザ加入データを、モビリティ管理エンティティ（ＭＭＥ）にダウンロードし、
前記ＭＭＥは、デフォルトベアラ確立要求メッセージによって、ユーザ静的ＩＰアドレス、および、対応するＡＰＮの情報を、サービスゲートウェイ（Ｓ−ＧＷ）に送信し、
前記Ｓ−ＧＷは、ユーザ静的ＩＰアドレス、対応するＡＰＮの情報、および、該ユーザにサービスするＳ−ＧＷのアドレスを、ユーザ静的ＩＰアドレスに対応するＡＰＮに対応するパケットデータゲートウェイ（Ｐ−ＧＷ）に送信し、
前記Ｐ−ＧＷは、ユーザ静的ＩＰアドレス、対応するＡＰＮの情報、および、該ユーザにサービスするＳ−ＧＷのアドレスに従って、デフォルトベアラを確立する、
ことを含むことを特徴とする方法。
【請求項２】
前記ユーザ加入データにおいて、ユーザ静的ＩＰアドレスに対応するＡＰＮに対応するパケットデータゲートウェイ（Ｐ−ＧＷ）のアドレスを、さらに含み、
前記ＭＭＥからＳ−ＧＷへ送信されたデフォルトベアラ確立要求メッセージにおいて、ユーザ静的ＩＰアドレスに対応するＡＰＮに対応するパケットデータゲートウェイ（Ｐ−ＧＷ）のアドレスを、さらに含むことを特徴とする請求項１に記載の方法。
【請求項３】
前記ＭＭＥは、ダウンロードされた前記ＡＰＮの情報を解析して、ユーザ静的ＩＰアドレスに対応するＡＰＮに対応するＰ−ＧＷのアドレスを得、
解析して得られた、ユーザ静的ＩＰアドレスに対応するＡＰＮに対応するパケットデータゲートウェイ（Ｐ−ＧＷ）のアドレスを、デフォルトベアラ確立要求メッセージによって、Ｓ−ＧＷに送信する、
ことをさらに含むことを特徴とする請求項１に記載の方法。
【請求項４】
前記Ｓ−ＧＷは、ＭＭＥから受信された前記ＡＰＮの情報を解析することをドメインネームサーバ（ＤＮＳ）に要求して、ユーザ静的ＩＰアドレスに対応するＡＰＮに対応するＰ−ＧＷのアドレスを得る、
ことをさらに含むことを特徴とする請求項１に記載の方法。
【請求項５】
前記ＭＭＥからＳ−ＧＷへ送信されたデフォルトベアラ確立要求メッセージにおいて、デフォルトＡＰＮの情報をさらに含み、
前記Ｓ−ＧＷが、ユーザ静的ＩＰアドレス、対応するＡＰＮの情報、および、該ユーザにサービスするＳ−ＧＷのアドレスを、ＡＰＮに対応するパケットデータゲートウェイ（Ｐ−ＧＷ）に送信することは、
前記対応するＡＰＮとデフォルトＡＰＮとが同じ場合、あるいは、１つだけのＡＰＮがある場合、Ｓ−ＧＷが、ユーザ静的ＩＰアドレス、対応するＡＰＮの情報、および、該ユーザにサービスするＳ−ＧＷのアドレスを、デフォルトベアラ確立要求メッセージによって、デフォルトＡＰＮに対応するＰ−ＧＷに送信し、
前記対応するＡＰＮとデフォルトＡＰＮとが異なる場合、Ｓ−ＧＷが、ユーザ静的ＩＰアドレス、対応するＡＰＮの情報、および、該ユーザにサービスするＳ−ＧＷのアドレスを、デフォルトベアラ確立要求メッセージによって、前記対応するＡＰＮの情報に対応するＰ−ＧＷに送信する、
ことを含むことを特徴とする請求項１から請求項４のいずれか１項に記載の方法。
【請求項６】
宛先アドレスが前記ユーザ静的ＩＰアドレスである下りパケットデータが到着すると、前記Ｐ−ＧＷは、相応するデフォルトベアラが確立されたかどうかを判断し、
デフォルトベアラが確立された、かつ、下りパケットデータのサービス品質要求を満たすことができる場合、確立されたデフォルトベアラによって、前記下りパケットデータを転送し、
そうでない場合、ユーザ静的ＩＰアドレス、対応するＡＰＮの情報、および、該ユーザにサービスするＳ−ＧＷのアドレスに従って、相応する専用ベアラを確立し、かつ、前記専用ベアラによって、前記下りパケットデータを転送する、
ことをさらに含むことを特徴とする請求項１に記載の方法。
【請求項７】
ユーザがネットワーク登録解除を行う際、ＭＭＥは、ユーザ静的ＩＰアドレスに対応するベアラが確立されたかどうかを判断し、ベアラが確立された場合、ベアラ削除要求メッセージによって、該ユーザ静的ＩＰアドレスをＳ−ＧＷに送信し、Ｓ−ＧＷは、ベアラ削除要求メッセージによって、前記ユーザ静的ＩＰアドレスをＰ−ＧＷに送信して、Ｐ−ＧＷにより、前記ユーザ静的ＩＰアドレスに関連するコンテキストを削除し、ベアラが確立されていない場合、ベアラに対応するトンネル識別子（ＴＥＩＤ）またはＴＥＩＤリストを、Ｓ−ＧＷへ送信されるベアラ削除要求メッセージに付けることにより、Ｐ−ＧＷに対し、前記ユーザ静的ＩＰアドレスに関連するコンテキストを削除するよう通知する、
ことをさらに含むことを特徴とする請求項１に記載の方法。
【請求項８】
ユーザがトラッキングエリア更新を行う際、ＭＭＥは、デフォルトベアラ確立要求メッセージによって、ユーザ静的ＩＰアドレス、および、対応するＡＰＮの情報を、Ｓ−ＧＷに送信する、
ことをさらに含むことを特徴とする請求項１に記載の方法。
【請求項９】
ユーザがＳ−ＧＷリロケーションを行う際、ＭＭＥは、デフォルトベアラ確立要求メッセージによって、ユーザ静的ＩＰアドレス、および、対応するＡＰＮの情報を、Ｓ−ＧＷに送信する、
ことをさらに含むことを特徴とする請求項１に記載の方法。
【請求項１０】
Ｓ−ＧＷは、デフォルトベアラ確立要求メッセージを受信した後、ユーザ静的ＩＰアドレスに対応するＡＰＮと、デフォルトＡＰＮとが同じ場合、あるいは、１つだけのＡＰＮがある場合、デフォルトＡＰＮに対応するＰ−ＧＷに対してベアラ更新要求プロセスを行って、前記Ｐ−ＧＷに保存されたコンテキスト情報を更新し、ユーザ静的ＩＰアドレスに対応するＡＰＮと、デフォルトＡＰＮとが異なる場合、ユーザ静的ＩＰアドレスに対応するＡＰＮに対応するＰ−ＧＷに対してベアラ更新要求プロセスを行って、前記Ｐ−ＧＷに保存されたコンテキスト情報を更新する、
ことをさらに含むことを特徴とする請求項８または９に記載の方法。
【請求項１１】
ＬＴＥシステムにおいて、ユーザ静的ＩＰアドレスのアドレッシングをサポートするシステムであって、
ユーザがネットワーク登録を行う際、ユーザ静的ＩＰアドレスと、対応するアクセスポイントネーム（ＡＰＮ）の情報とを含むユーザ加入データを、モビリティ管理エンティティ（ＭＭＥ）にダウンロードするホーム加入者サーバ（ＨＳＳ）と、
デフォルトベアラ確立要求メッセージによって、ユーザ静的ＩＰアドレス、および、対応するＡＰＮの情報を、サービスゲートウェイ（Ｓ−ＧＷ）に送信するＭＭＥと、
ユーザ静的ＩＰアドレス、対応するＡＰＮの情報、および、該ユーザにサービスするＳ−ＧＷのアドレスを、ＡＰＮに対応するパケットデータゲートウェイ（Ｐ−ＧＷ）に送信するＳ−ＧＷと、
ユーザ静的ＩＰアドレス、対応するＡＰＮの情報、および、該ユーザにサービスするＳ−ＧＷのアドレスに従って、デフォルトベアラを確立するＰ−ＧＷと、
を含むことを特徴とするシステム。
【請求項１２】
前記ＭＭＥは、さらに、ユーザ静的ＩＰアドレスに対応するＡＰＮに対応するパケットデータゲートウェイ（Ｐ−ＧＷ）のアドレスを、デフォルトベアラ確立要求メッセージによって、Ｓ−ＧＷに送信する、
ことを特徴とする請求項１１に記載のシステム。
【請求項１３】
前記ＭＭＥは、さらに、ダウンロードされた前記ＡＰＮの情報を解析し、かつ、解析して得られた、ユーザ静的ＩＰアドレスに対応するＡＰＮに対応するパケットデータゲートウェイ（Ｐ−ＧＷ）のアドレスを、デフォルトベアラ確立要求メッセージによって、Ｓ−ＧＷに送信する、
ことを特徴とする請求項１１に記載のシステム。
【請求項１４】
前記Ｓ−ＧＷは、さらに、ＭＭＥから受信された前記ＡＰＮの情報を解析することをドメインネームサーバ（ＤＮＳ）に要求して、ユーザ静的ＩＰアドレスに対応するＡＰＮに対応するＰ−ＧＷのアドレスを得る、
ことを特徴とする請求項１１に記載のシステム。
【請求項１５】
前記Ｓ−ＧＷは、さらに、前記対応するＡＰＮとデフォルトＡＰＮとが同じ場合、あるいは、１つだけのＡＰＮがある場合、ユーザ静的ＩＰアドレス、対応するＡＰＮの情報、および、該ユーザにサービスするＳ−ＧＷのアドレスを、デフォルトベアラ確立要求メッセージによって、デフォルトＡＰＮに対応するＰ−ＧＷに送信する一方、前記対応するＡＰＮとデフォルトＡＰＮとが異なる場合、ユーザ静的ＩＰアドレス、対応するＡＰＮの情報、および、該ユーザにサービスするＳ−ＧＷのアドレスを、デフォルトベアラ確立要求メッセージによって、前記対応するＡＰＮの情報に対応するＰ−ＧＷに送信する、
ことを特徴とする請求項１１から請求項１４のいずれか１項に記載のシステム。
【請求項１６】
前記Ｐ−ＧＷは、さらに、宛先アドレスが前記ユーザ静的ＩＰアドレスである下りパケットデータが到着すると、相応するデフォルトベアラが確立されたかどうかを判断し、デフォルトベアラが確立された、かつ、下りパケットデータのサービス品質要求を満たすことができる場合、確立されたデフォルトベアラによって、前記下りパケットデータを転送し、そうでない場合、ユーザ静的ＩＰアドレス、対応するＡＰＮの情報、および、該ユーザにサービスするＳ−ＧＷのアドレスに従って、相応する専用ベアラを確立し、かつ、前記専用ベアラによって、前記下りパケットデータを転送する、
ことを特徴とする請求項１１に記載のシステム。
【請求項１７】
前記ＭＭＥは、さらに、ユーザがネットワーク登録解除を行う際、ユーザ静的ＩＰアドレスに対応するデフォルトベアが確立されたかどうかを判断し、デフォルトベアラが確立された場合、ユーザ静的ＩＰアドレスが付けられるベアラ削除要求メッセージを、Ｓ−ＧＷに送信し、デフォルトベアラが確立されていない場合、ベアラに対応するトンネル識別子（ＴＥＩＤ）またはＴＥＩＤリストが付けられるベアラ削除要求メッセージを、Ｓ−ＧＷに送信し、
前記Ｓ−ＧＷは、さらに、受信されたベアラ削除要求メッセージをＰ−ＧＷに送信し、
前記Ｐ−ＧＷは、さらに、受信されたベアラ削除要求メッセージに、ユーザ静的ＩＰアドレスが付けられる場合、前記ユーザ静的ＩＰアドレスに関連するコンテキストを削除し、受信されたベアラ削除要求メッセージに、ベアラに対応するトンネル識別子（ＴＥＩＤ）またはＴＥＩＤリストが付けられる場合、前記ＴＥＩＤまたはＴＥＩＤリストに関連するコンテキストを削除する、
ことを特徴とする請求項１１に記載のシステム。
【請求項１８】
前記ＭＭＥは、さらに、ユーザがトラッキングエリア更新、または、Ｓ−ＧＷリロケーションを行う際、デフォルトベアラ確立要求メッセージによって、ユーザ静的ＩＰアドレス、および、対応するＡＰＮの情報を、Ｓ−ＧＷに送信し、
前記Ｓ−ＧＷは、さらに、デフォルトベアラ確立要求メッセージを受信した後、ユーザ静的ＩＰアドレスに対応するＡＰＮと、デフォルトＡＰＮとが同じ場合、デフォルトＡＰＮに対応するＰ−ＧＷに対してベアラ更新要求プロセスを行うことにより、前記Ｐ−ＧＷに保存されたコンテキスト情報を更新し、ユーザ静的ＩＰアドレスに対応するＡＰＮと、デフォルトＡＰＮとが異なる場合、ユーザ静的ＩＰアドレスに対応するＡＰＮに対応するＰ−ＧＷに対してベアラ更新要求プロセスプロセスをトリガーすることにより、前記Ｐ−ＧＷに保存されたコンテキスト情報を更新する、
ことを特徴とする請求項１１に記載のシステム。
【請求項１９】
モビリティ管理エンティティ（ＭＭＥ）であって、
ユーザ静的ＩＰアドレスと、対応するアクセスポイントネーム（ＡＰＮ）の情報とを含むユーザ加入データを、ホーム加入者サーバ（ＨＳＳ）からダウンロードする第１モジュールと、
デフォルトベアラ確立要求メッセージによって、ユーザ静的ＩＰアドレス、および、対応するＡＰＮの情報を、サービスゲートウェイ（Ｓ−ＧＷ）に送信する第２モジュールと、
を含むことを特徴とするＭＭＥ。
【請求項２０】
前記ユーザ加入データにおいて、ユーザ静的ＩＰアドレスに対応するＡＰＮに対応するパケットデータゲートウェイ（Ｐ−ＧＷ）のアドレスを、さらに含み、
前記第２モジュールは、さらに、デフォルトベアラ確立要求メッセージによって、ユーザ静的ＩＰアドレスに対応するＡＰＮに対応するパケットデータゲートウェイ（Ｐ−ＧＷ）のアドレスを、Ｓ−ＧＷに送信する、
ことを特徴とする請求項１９に記載のＭＭＥ。
【請求項２１】
ダウンロードされた前記ＡＰＮの情報を解析して、ユーザ静的ＩＰアドレスに対応するＡＰＮに対応するＰ−ＧＷのアドレスを得る第３モジュールを、さらに含み、
ここで、前記第２モジュールは、さらに、解析して得られた、ユーザ静的ＩＰアドレスに対応するＡＰＮに対応するパケットデータゲートウェイ（Ｐ−ＧＷ）のアドレスを、デフォルトベアラ確立要求メッセージによって、Ｓ−ＧＷに送信する、
ことを特徴とする請求項１９に記載のＭＭＥ。
【請求項２２】
サービスゲートウェイ（Ｓ−ＧＷ）であって、
モビリティ管理エンティティ（ＭＭＥ）から、ユーザ静的ＩＰアドレス、および、対応するアクセスポイントネーム（ＡＰＮ）の情報を受信する第１モジュールと、
受信されたユーザ静的ＩＰアドレス、および、対応するＡＰＮの情報、並びに、該ユーザにサービスするサービスゲートウェイ（Ｓ−ＧＷ）のアドレスを、ユーザ静的ＩＰアドレスに対応するＡＰＮに対応するパケットデータゲートウェイ（Ｐ−ＧＷ）に送信する第２モジュールと、
を含むことを特徴とするＳ−ＧＷ。
【請求項２３】
受信された前記ＡＰＮの情報を解析することをドメインネームサーバ（ＤＮＳ）に要求して、ユーザ静的ＩＰアドレスに対応するＡＰＮに対応するＰ−ＧＷのアドレスを得る第３モジュールを、さらに含むことを特徴とする請求項２２に記載のＳ−ＧＷ。
【請求項２４】
パケットデータゲートウェイ（Ｐ−ＧＷ）であって、
サービスゲートウェイ（Ｓ−ＧＷ）から受信されたユーザ静的ＩＰアドレス、対応するアクセスポイントネーム（ＡＰＮ）の情報、および、該ユーザにサービスするサービスゲートウェイ（Ｓ−ＧＷ）のアドレスに従って、デフォルトベアラを確立する第１モジュールを含むことを特徴とするＰ−ＧＷ。
【請求項２５】
宛先アドレスが前記ユーザ静的ＩＰアドレスである下りパケットデータが到着すると、相応するデフォルトベアラが確立されたかどうかを判断し、デフォルトベアラが確立された、かつ、下りパケットデータのサービス品質要求を満たすことができる場合、確立されたデフォルトベアラによって、前記下りパケットデータを転送し、そうでない場合、ユーザ静的ＩＰアドレス、対応するＡＰＮの情報、および、該ユーザにサービスするＳ−ＧＷのアドレスに従って、相応する専用ベアラを確立し、かつ、前記専用ベアラによって、前記下りパケットデータを転送する第２モジュールを、さらに含むことを特徴とする請求項２４に記載のＰ−ＧＷ。
【発明の詳細な説明】
【技術分野】
【０００１】
本発明は通信分野に関し、特に、ＬＴＥシステムにおいて、ユーザ静的インターネットプロトコル（ＩＰ）アドレスのアドレッシングをサポートする方法、システムおよび関連装置に関する。
【背景技術】
【０００２】
３ＧＰＰの長期的進化／システム・アーキテクチャ・エボリューション（ＬＴＥ／ＳＡＥ）システムの進化需要仕様の要求に従って、該通信システムは、ユーザがユーザ静的ＩＰアドレスを使用する場合の正常なサービス機能をサポートする必要があり、特に、ユーザと専用パケットデータネットワーク（ＰＤＮ）との間でＩＰベアラ接続を行う場合のデータやり取りをサポートする必要がある。但し、現在、３ＧＰＰ  ＬＴＥ／ＳＡＥシステムにおいて、ユーザ静的ＩＰアドレスのアドレッシングをサポートする解決手段が、まだ提供されていない。
【発明の概要】
【発明が解決しようとする課題】
【０００３】
本発明は、ＬＴＥシステムにおいて、セッションの各パーティー間でユーザ静的ＩＰアドレスを使用してやり取りを行う場合のパケットデータアドレッシングの課題を解決するために、ＬＴＥシステムにおいて、ユーザ静的ＩＰアドレスのアドレッシングをサポートする方法、システム、並びに、モビリティ管理エンティティ（ＭＭＥ）、サービスゲートウェイ（Ｓ−ＧＷ）、およびパケットデータゲートウェイ（Ｐ−ＧＷ）を提供する。
【課題を解決するための手段】
【０００４】
本発明の実施例に係る、ＬＴＥシステムにおいて、ユーザ静的ＩＰアドレスのアドレッシングをサポートする方法は、ユーザがネットワーク登録を行う際、ホーム加入者サーバ（ＨＳＳ）は、ユーザ静的ＩＰアドレスと、対応するアクセスポイントネーム（ＡＰＮ）の情報とを含むユーザ加入データを、ＭＭＥにダウンロードし、ＭＭＥは、デフォルトベアラ確立要求メッセージによって、ユーザ静的ＩＰアドレス、および、対応するＡＰＮの情報を、Ｓ−ＧＷに送信し、Ｓ−ＧＷは、ユーザ静的ＩＰアドレス、および、該ユーザにサービスするＳ−ＧＷのアドレスを、ユーザ静的ＩＰアドレスに対応するＡＰＮに対応するＰ−ＧＷに送信し、Ｐ−ＧＷは、ユーザ静的ＩＰアドレス、対応するＡＰＮの情報、および、該ユーザにサービスするＳ−ＧＷのアドレスに従って、デフォルトベアラを確立する、ことを含む。
【０００５】
本発明の実施例に係る、ＬＴＥシステムにおいて、ユーザ静的ＩＰアドレスのアドレッシングをサポートするシステムは、ユーザがネットワーク登録を行う際、ユーザ静的ＩＰアドレスと、対応するＡＰＮの情報とを含むユーザ加入データを、ＭＭＥにダウンロードするＨＳＳと、デフォルトベアラ確立要求メッセージによって、ユーザ静的ＩＰアドレス、および、対応するＡＰＮの情報を、Ｓ−ＧＷに送信するＭＭＥと、ユーザ静的ＩＰアドレス、および、該ユーザにサービスするＳ−ＧＷのアドレスを、アクセスポイントネームに対応するＰ−ＧＷに送信するＳ−ＧＷと、ユーザ静的ＩＰアドレス、対応するＡＰＮの情報、および、該ユーザにサービスするＳ−ＧＷのアドレスに従って、デフォルトベアラを確立するＰ−ＧＷと、を含む。
【０００６】
また、本発明の実施例では、ＬＴＥシステムにおいて、ユーザ静的ＩＰアドレスのアドレッシングをサポートするシステムにおけるＭＭＥ、Ｓ−ＧＷおよびＰ−ＧＷが提供されている。
【０００７】
ここで、ＭＭＥは、ユーザ静的ＩＰアドレスと、対応するアクセスポイントネーム（ＡＰＮ）の情報とを含むユーザ加入データを、ホーム加入者サーバ（ＨＳＳ）からダウンロードする第１モジュールと、デフォルトベアラ確立要求メッセージによって、ユーザ静的ＩＰアドレス、および、対応するＡＰＮの情報を、サービスゲートウェイ（Ｓ−ＧＷ）に送信する第２モジュールと、を含む。
【０００８】
Ｓ−ＧＷは、モビリティ管理エンティティ（ＭＭＥ）から、ユーザ静的ＩＰアドレス、および、対応するアクセスポイントネーム（ＡＰＮ）の情報を受信する第１モジュールと、受信されたユーザ静的ＩＰアドレス、および、対応するアクセスポイントネーム（ＡＰＮ）の情報、並びに、該ユーザにサービスするサービスゲートウェイ（Ｓ−ＧＷ）のアドレスを、ユーザ静的ＩＰアドレスに対応するＡＰＮに対応するパケットデータゲートウェイ（Ｐ−ＧＷ）に送信する第２モジュールと、を含む。
【０００９】
Ｐ−ＧＷは、サービスゲートウェイ（Ｓ−ＧＷ）から受信したユーザ静的ＩＰアドレス、対応するＡＰＮの情報、および、該ユーザにサービスするＳ−ＧＷのアドレスに従って、デフォルトベアラを確立する第１モジュールを、含む。
【発明の効果】
【００１０】
本発明は、現在の３ＧＰＰ  ＬＴＥ／ＳＡＥシステムのネットワークアーキテクチャの特徴を利用して、比較的簡単な方式で、会話の各々方がユーザ静的ＩＰアドレスを使用してやり取りを行う場合のパケットデータアドレッシングの課題を解決するとともに、プロセスが簡単で使いやすいため、優れた適用性を有する。
【００１１】
ここで説明される図面は、本発明に対するさらなる理解を提供するためのものであり、本願の一部を構成する。本発明の例示的な実施例およびその説明は、本発明を解釈するためのものであり、本発明に対する不適当な限定とならない。
【図面の簡単な説明】
【００１２】
【図１】シングルＰＤＮの場合、ユーザ静的ＩＰアドレスの使用を示す図である。
【図２】複数ＰＤＮの場合、ユーザ静的ＩＰアドレスの使用を示す図である。
【図３】本発明の実施例に係る、ＬＴＥシステムにおいて、ユーザ静的ＩＰアドレスのアドレッシングをサポートする方法のフローチャートである。
【図４】本発明の実施例に係る方法におけるユーザのネットワーク登録プロセスを示す図である。
【図５】本発明の実施例に係るＰ−ＧＷにより起動される専用ベアラ確立プロセスを示す図である。
【図６】本発明の実施例に係るＭＭＥにより起動されるベアラ情報削除プロセスを示す図である。
【図７】本発明の実施例に係るＴＡ更新プロセスを示す図である。
【発明を実施するための形態】
【００１３】
本発明の目的、解決手段とメリットをさらに明確にするために、以下、図面および具体的な実施例を参照して、本発明について、さらに詳しく説明する。
【００１４】
３ＧＰＰ  ＬＴＥ／ＳＡＥシステムにおいて、ユーザ静的ＩＰアドレスの割り当ては通常２種類の方式がある。１つは、ユーザがホーム公衆陸上移動ネットワーク（ＨＰＬＭＮ）事業者と契約する時、固定的に使用するユーザ静的ＩＰアドレスをユーザに割り当てる方式である。もう１つは、パケットデータネットワーク（ＰＤＮ）事業者が、そのＰＤＮのアドレス空間から、専用静的ＩＰアドレス、つまり、加入データ項目中のＰＤＮアドレス（ＰＤＮ  Ａｄｄｒｅｓｓ）をユーザに割り当てる方式である。このようなＰＤＮは、一般的に専用ネットワークである。この２種類の方式により割り当てられたユーザ静的ＩＰアドレスは、いずれもＨＳＳ、およびユーザ端末（ＵＥ）（例えば、ＵＥの加入者識別モジュール／共通加入者識別モジュール（ＳＩＭ／ＵＳＩＭ：Ｓｕｂｓｃｒｉｂｅｒ  Ｉｄｅｎｔｉｔｙ  Ｍｏｄｕｌｅ／Ｕｎｉｖｅｒｓａｌ  Ｓｕｂｓｃｒｉｂｅｒ  Ｉｄｅｎｔｉｔｙ  Ｍｏｄｕｌｅ）カードに保存される。このタイプのＩＰアドレスは、ユーザ加入ＩＰアドレスとも呼ばれる。ユーザの国際移動加入者識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）にとって、各ＩＰタイプ毎に、ゼロ、１つあるいは複数の、ユーザ静的ＩＰアドレスがあり得る。ユーザ静的ＩＰアドレスは、下記のシーン、即ち、ユーザ静的ＩＰアドレスを取得するＵＥの間に特定の通信需要がある（毎回アクティブされた後、ＩＰアドレスが変化すると、通信を行うことができない）シーンや、ユーザ静的ＩＰアドレスを取得するＵＥが、ある特定の情報を表す（あるＩＰアドレスから送信されたデータは、定点サンプリングの情報、例えば、大気サンプリングの情報を反映する）シーンに応用可能である。
【００１５】
本発明の実施例は、３ＧＰＰ  ＬＴＥ／ＳＡＥシステムにおいて、ユーザ静的ＩＰアドレスのアドレッシングをサポートする解決手段を提供している。この解決手段は、以下の２種類のＵＥに応用できる。１つは、シングルＰＤＮ接続能力を有するＵＥであり、図１に示すように、該ＵＥがただ１つのＰＤＮ接続をサポートし、かつ、該ＵＥがネットワーク登録後にユーザ静的ＩＰアドレス用のＩＰベアラ接続を確立しない。もう１つは、複数のＰＤＮ接続能力を有するＵＥであり、図２に示すように、該ＵＥが少なくとも２つのＰＤＮ接続をサポートするが、該ＵＥがネットワーク登録後にユーザ静的ＩＰアドレス用のＩＰベアラ接続を確立しない。この方法は、ＵＥがネットワークアタッチ時にユーザ静的ＩＰアドレス用のＩＰベアラ接続を確立する場合にも適用できる。
【００１６】
本発明の実施例は、３ＧＰＰ  ＬＴＥ／ＳＡＥのネットワークアーキテクチャの特徴に従って、３ＧＰＰ  ＬＴＥ／ＳＡＥシステムにおいて、ユーザ静的ＩＰアドレスのアドレッシングをサポートする方法を提供している。該方法の処理フローは、図３に示すように、主に以下のステップを含む。
【００１７】
３０１で、ＵＥがネットワークへ登録する際、ＭＭＥとＨＳＳとがユーザ認証を行った後、ＨＳＳは、ユーザ静的ＩＰアドレスと、対応するＡＰＮの情報とを含むユーザ加入データを、ＭＭＥにダウンロードする。
【００１８】
３ＧＰＰ  ＬＴＥ／ＳＡＥシステムにおいて、ＵＥがネットワークへ登録する際、まず、ユーザのモビリティ管理を担当するＭＭＥとＨＳＳとのやり取りで、ユーザ身分の認証プロセスを行い、認証成功後、ＨＳＳは、ユーザ加入データをＭＭＥにダウンロードし、ＭＭＥは、ベアラ確立などの後続処理を行うために、ダウンロードされた加入データを保存する。
【００１９】
本実施例において、ＭＭＥがＨＳＳからダウンロードしたユーザ加入データは、ＩＭＳＩ、デフォルトＡＰＮの情報を含む以外、加入しているユーザ静的ＩＰアドレス（または、ユーザ静的ＩＰアドレスリスト）、および、ユーザ静的ＩＰアドレスに対応するＡＰＮの情報を、さらに含む。ここで、複数のユーザ静的ＩＰアドレスは、同じまたは異なるＡＰＮを使用する可能性がある。複数のユーザ静的ＩＰアドレスが、同じＡＰＮを使用すると、これらのユーザ静的ＩＰアドレスが、いずれも同一のＡＰＮによって、相応のＰＤＮネットワークに接続することが表され、複数のユーザ静的ＩＰアドレスが、異なるＡＰＮに対応すると、これらのユーザ静的ＩＰアドレスが、異なるＡＰＮによって、相応のＰＤＮネットワークに接続することが表される。ある場合において、デフォルトＡＰＮは、即ち、ユーザ静的ＩＰアドレスに対応するＡＰＮである。
【００２０】
３０２で、ＭＭＥは、デフォルトベアラ確立要求メッセージ（Ｃｒｅａｔｅ  Ｄｅｆａｕｌｔ  Ｂｅａｒｅｒ  Ｒｅｑｕｅｓｔ）により、ユーザ静的ＩＰアドレス、対応するＡＰＮの情報、および、ＡＰＮに対応するＰ−ＧＷのアドレスを、Ｓ−ＧＷに送信する。
【００２１】
本ステップにおいて、ユーザ加入データがＭＭＥにダウンロードされた後、ＭＭＥは、まず、ユーザ静的ＩＰアドレスに対応するＡＰＮの情報を解析する必要があり、これによって、ユーザ静的ＩＰアドレスに対応するＡＰＮに対応するＰ−ＧＷのアドレスを得、次に、デフォルトベアラ（Ｄｅｆａｕｌｔ  Ｂｅａｒｅｒ）の確立プロセスを起動して、ダウンロードされたユーザ静的ＩＰアドレス、対応するＡＰＮの情報、および、解析して得られた、ユーザ静的ＩＰアドレスに対応するＡＰＮに対応するＰ−ＧＷのアドレスを、デフォルトベアラ確立要求メッセージに付けて、Ｓ−ＧＷに送信する。
【００２２】
３０３で、Ｓ−ＧＷは、受信されたユーザ静的ＩＰアドレス、および対応するＡＰＮの情報、並びに、該ユーザにサービスするＳ−ＧＷのアドレスを、ユーザ静的ＩＰアドレスに対応するＡＰＮに対応するＰ−ＧＷに送信する。
【００２３】
本発明の実施例において、ＭＭＥからＳ−ＧＷに送信されたデフォルトベアラ確立要求メッセージは、デフォルトＡＰＮの情報をさらに含んでもよい。この場合、本ステップは、具体的に、以下のステップを含んでよい。
【００２４】
３０３１で、Ｓ−ＧＷは、受信されたユーザ静的ＩＰアドレスに対応するＡＰＮの情報と、デフォルトＡＰＮの情報とを、比較する。
【００２５】
３０３２で、ユーザ静的ＩＰアドレスに対応するＡＰＮがデフォルトＡＰＮと同じ場合、あるいは、デフォルトベアラ確立要求メッセージにただ１つのデフォルトＡＰＮが含まれる場合、Ｓ−ＧＷは、デフォルトベアラ確立要求メッセージにより、ユーザ静的ＩＰアドレス、対応するＡＰＮの情報、および、該ＵＥにサービスするＳ−ＧＷのアドレスを、デフォルトＡＰＮに対応するＰ−ＧＷに送信する。この場合、デフォルトＡＰＮに対応するＰ−ＧＷは、デフォルトベアラを確立するために、受信されたユーザ静的ＩＰアドレス、対応するＡＰＮの情報、および、該ＵＥにサービスするＳ−ＧＷのアドレスを保存する。
【００２６】
３０３３で、ユーザ静的ＩＰアドレスに対応するＡＰＮがデフォルトＡＰＮと異なる場合、Ｓ−ＧＷは、通知専用コンテキスト要求メッセージ（Ｎｏｔｉｆｉｃａｔｉｏｎ  Ｐｒｉｖａｔｅ  Ｃｏｎｔｅｘｔ  Ｒｅｑｕｅｓｔ）、または、デフォルトベアラ確立要求メッセージにより、ユーザ静的ＩＰアドレス、対応するＡＰＮの情報、および、該ＵＥにサービスするＳ−ＧＷのアドレスを、ユーザ静的ＩＰアドレスに対応するＡＰＮに対応するＰ−ＧＷに送信する。この場合、該Ｐ−ＧＷは、デフォルトベアラを確立するために、該ユーザ静的ＩＰアドレス、対応するＡＰＮの情報、および、該ＵＥにサービスするＳ−ＧＷのアドレスを保存する。
【００２７】
３０４で、ユーザ静的ＩＰアドレスに対応するＡＰＮに対応するＰ−ＧＷは、ユーザ静的ＩＰアドレス、対応するＡＰＮの情報、および、該ユーザにサービスするＳ−ＧＷのアドレスに従って、デフォルトベアラを確立する。
【００２８】
本ステップにおいて、ユーザ静的ＩＰアドレスに対応するＡＰＮに対応するＰ−ＧＷが、ユーザ静的ＩＰアドレス、対応するＡＰＮの情報、および、該ユーザにサービスするＳ−ＧＷのアドレスに従って、デフォルトベアラを確立した後、該ユーザ静的ＩＰアドレスに対応するコンテキストを確立し、かつ、デフォルトベアラ確立応答メッセージにより、ユーザ静的ＩＰアドレスおよびＡＰＮの情報を、Ｓ−ＧＷおよびＭＭＥを介して、ＵＥに通知する必要もある。該コンテキストには、ユーザ静的ＩＰアドレス、対応するＡＰＮの情報、および、該ユーザにサービスするＳ−ＧＷのアドレスなどの情報が含まれる。
【００２９】
上記ステップ３０１〜３０４を経てから、該ユーザ静的ＩＰアドレスを目的アドレスとする下りパケットデータがＰ−ＧＷに到着するとき、Ｐ−ＧＷは、まず、該ユーザ静的ＩＰアドレスに対応するデフォルトベアラが確立されたかどうかを検査すべきである。デフォルトベアラが既に確立され、かつ、下りパケットデータのサービス品質（ＱｏＳ）要求を満たすことができる場合、下りパケットデータを該デフォルトベアラに転送し、使用可能なベアラが検索されなかった場合、さらに、該Ｐ−ＧＷにより専用ベアラの確立プロセスを起動する。
【００３０】
本発明のほかの実施例において、ステップ３０１で、ＨＳＳからＭＭＥにダウンロードされたユーザ加入データは、ユーザ静的ＩＰアドレスに対応するＡＰＮに対応するＰ−ＧＷのアドレスをさらに含む。この場合、ステップ３０２で、ＭＭＥは、受信された対応するＡＰＮの情報に対する解析ステップを行う必要がなく、直接に、ユーザ静的ＩＰアドレス、対応するＡＰＮの情報、および、ＡＰＮに対応するＰ−ＧＷのアドレスを、Ｓ−ＧＷに送信する。
【００３１】
本発明のもう１つの実施例において、ステップ３０２で、ＭＭＥからＳ−ＧＷに送信されたデフォルトベアラ確立要求メッセージには、ユーザ静的ＩＰアドレスに対応するＡＰＮに対応するＰ−ＧＷのアドレスが付けられない。この場合、ステップ３０３で、Ｓ−ＧＷは、先に、対応するＡＰＮの情報に従って、ドメインネームサーバ（ＤＮＳ）を検索する必要があり、ＤＮＳによって対応するＡＰＮの情報を解析して、ユーザ静的ＩＰアドレスに対応するＡＰＮに対応するＰ−ＧＷのアドレスを得、次に、受信されたユーザ静的ＩＰアドレス、対応するＡＰＮの情報、および、該ユーザにサービスするＳ−ＧＷのアドレスを、ユーザ静的ＩＰアドレスに対応するＡＰＮに対応するＰ−ＧＷに送信する。
【００３２】
上記実施例は、３ＧＰＰ  ＬＴＥ／ＳＡＥシステムにおいて、ユーザ静的ＩＰアドレスのアドレッシングをサポートする方法を提供している。相応に、３ＧＰＰ  ＬＴＥ／ＳＡＥシステムにおけるユーザ登録解除プロセス、Ｓ−ＧＷリロケーションプロセス、および、Ｓ−ＧＷの変更を含むトラッキングエリア（ＴＡ）の更新（ＴＡＵ）などのプロセスに対しても、改善する必要がある。
【００３３】
ユーザ登録解除プロセスにおいて、ＭＭＥは、まず、ユーザ静的ＩＰアドレスに対応するベアラが確立されたかどうかを判断して、ユーザ静的ＩＰアドレスに対応するベアラの確立状況に従って、Ｓ−ＧＷに送信するベアラ削除要求メッセージに、ユーザ静的ＩＰアドレスを付けるかどうかを決定する。具体的に、ユーザ静的ＩＰアドレスに対応するベアラが既に確立された場合、ＭＭＥは、Ｓ−ＧＷに送信するベアラ削除要求メッセージに、該ユーザ静的ＩＰアドレスを付ける必要がなく、かつ、直接に、Ｓ−ＧＷに送信するベアラ削除要求メッセージに付けられた、ベアラに対応するトンネル識別子（ＴＥＩＤ）またはＴＥＩＤリストによって、Ｓ−ＧＷおよびＰ−ＧＷに対し、ＴＥＩＤまたはＴＥＩＤリストにより識別されるベアラのコンテキストを削除する必要がある旨を通知し、ユーザ静的ＩＰアドレスに対応するベアラが確立されていない場合、ＭＭＥは、Ｓ−ＧＷに送信するベアラ削除要求メッセージに、該ユーザ静的ＩＰアドレスを付ける必要があり、相応するＳ−ＧＷおよびＰ−ＧＷに対し、該ユーザ静的ＩＰアドレスに関するコンテキストを削除する必要がある旨を通知する。Ｐ−ＧＷは、ベアラ削除要求メッセージを受信した後、その中に付けられたユーザ静的ＩＰアドレス、またはＴＥＩＤ、またはＴＥＩＤリストに従って、該ユーザ静的ＩＰアドレスに関するコンテキストを削除する。
【００３４】
Ｓ−ＧＷリロケーションプロセス、および、Ｓ−ＧＷの変更を含むＴＡＵプロセスにおいて、ＭＭＥは、まず、デフォルトベアラ確立要求メッセージによって、ユーザ静的ＩＰアドレス、および、対応するＡＰＮの情報をＳ−ＧＷに送信する。Ｓ−ＧＷは、デフォルトベアラ確立要求メッセージを受信した後、ユーザ静的ＩＰアドレスに対応するＡＰＮがデフォルトＡＰＮと同じ場合、ユーザ静的ＩＰアドレスに対応するＡＰＮに対応するＰ−ＧＷに対して、ベアラ更新要求プロセスをトリガーし、該Ｐ−ＧＷに保存されたコンテキスト情報を更新するために、現在ＵＥにサービスしているＳ−ＧＷのアドレスが既に変化したことをＰ−ＧＷに通知し、ユーザ静的ＩＰアドレスに対応するＡＰＮがデフォルトＡＰＮと異なる場合、ユーザ静的ＩＰアドレスに対応するＡＰＮに対応するＰ−ＧＷに対して、ベアラ更新要求プロセス、または、通知専用コンテキスト（Ｎｏｔｉｆｉｃａｔｉｏｎ  Ｐｒｉｖａｔｅ  Ｃｏｎｔｅｘｔ）要求プロセスをトリガーし、該Ｐ−ＧＷに保存されたコンテキスト情報を更新するために、現在ＵＥにサービスしているＳ−ＧＷのアドレスが既に変化したことをＰ−ＧＷに通知する。Ｐ−ＧＷは、ユーザ静的ＩＰアドレスを使用して後続の下りパケットデータのアドレッシングを便利に行うために、更新後の現在ＵＥにサービスしているＳ−ＧＷのアドレスを保存する。
【００３５】
説明すべきものとして、上記３ＧＰＰ  ＬＴＥ／ＳＡＥシステムにおいて、ユーザ静的ＩＰアドレスのアドレッシングをサポートする方法は、ＵＥが３ＧＰＰ  Ｅ−ＵＴＲＡＮアクセスシステムによって、３ＧＰＰ  ＥＰＳコアネットワークにアクセスする場合の下りパケットデータのアドレッシングにも応用可能であるし、ＵＥが非３ＧＰＰ（ｎｏｎ−３ＧＰＰ）アクセスシステムによって、３ＧＰＰ  ＥＰＳコアネットワークにアクセスする場合の下りパケットデータのアドレッシングにも応用可能である。
【００３６】
ここで、３ＧＰＰアクセスシステムは、ＧＥＲＡＮアクセスシステム、ＵＴＲＡＮアクセスシステム、Ｅ−ＵＴＲＡＮアクセスシステムを指し、ｎｏｎ−３ＧＰＰアクセスシステムは、ＣＤＭＡ２０００および後続の進化システム、Ｗｉｍａｘアクセスシステム、次世代ネットワーク（ＮＧＮ）システム、無線ローカルエリアネットワーク（ＷＬＡＮ）アクセスシステムなどを指す。ｎｏｎ−３ＧＰＰアクセスシステムは、そのアクセスゲートウェイ（Ａ−ＧＷ）によって、Ｐ−ＧＷにアクセスする。該Ａ−ＧＷは、ＣＤＭＡ２０００システムの場合、パケットデータサポートノード（ＰＤＳＮ）を指し、Ｗｉｍａｘシステムの場合、ＡＳＮ  Ａ−ＧＷを指し、ＷＬＡＮの場合、進化するパケットデータゲートウェイ（ｅＰＤＧ）を指す。
【００３７】
以下、ＵＥが３ＧＰＰ  Ｅ−ＵＴＲＡＮアクセスシステムによって、ネットワーク登録を行うことを実施例として、説明を行う。
【００３８】
図４は、本発明の実施例に係るユーザのネットワーク登録プロセスを示す図であり、異なるＰ−ＧＷが異なるＰＤＮにサービスする複数のＰＤＮ接続の場合に対するものである。このうち、Ｐ−ＧＷ（ｄｅｆａｕｌｔ）は、デフォルトベアラ（Ｄｅｆａｕｌｔ  Ｂｅａｒｅｒ）の場合に使用するＰ−ＧＷであり、Ｐ−ＧＷ（ｐｒｉｖａｔｅ）は、非デフォルトベアラの場合に使用するＰ−ＧＷである。ここで、ＬＴＥ／ＳＡＥシステにおいて、各ＵＥ毎に、１つのＡＰＮにただ１つのデフォルトベアラがあり、かつ、ユーザ静的ＩＰアドレスに対応する１つのＡＰＮにも、ただ１つのデフォルトベアラがあると仮定する。デフォルトＡＰＮと、ユーザ静的ＩＰアドレスに対応するＡＰＮとが同じ場合、ただ１つのデフォルトベアラの確立プロセスを行う。ユーザのネットワーク登録（アタッチ）プロセスは、具体的に、以下のように説明する。
【００３９】
４０１で、ＵＥは、アタッチ要求（Ａｔｔａｃｈ  Ｒｅｑｕｅｓｔ）メッセージを、ｅＮｏｄｅＢへ送信して、アタッチプロセスを起動する。Ａｔｔａｃｈ  Ｒｅｑｕｅｓｔにおいて、該ＵＥのＩＭＳＩまたは進化する一時移動加入者識別子（Ｓ−ＴＭＳＩ）、旧トラッキングエリア識別子（ＴＡＩ）、ＵＥのネットワーク能力、ＰＤＮアドレス割り当て情報、および、ネッワーク指示などのパラメータが含まれる。
【００４０】
４０２で、ｅＮｏｄｅＢは、Ｓ−ＴＭＳＩおよびネットワーク指示からＭＭＥの情報を得た後、受信されたアタッチ要求メッセージを、ＭＭＥへ転送する。
【００４１】
４０３で、アタッチ要求に含まれるのがＳ−ＴＭＳＩであり、かつ、ＭＭＥが既に変化した場合、新ＭＭＥは、ユーザＩＤ識別要求（Ｉｄｅｎｔｉｆｉｃａｔｉｏｎ  Ｒｅｑｕｅｓｔ）メッセージを、旧ＭＭＥへ送信してＩＭＳＩを要求する必要があり、旧ＭＭＥは、ユーザＩＤ識別応答（Ｉｄｅｎｔｉｆｉｃａｔｉｏｎ  Ｒｅｓｐｏｎｓｅ）メッセージで応答する。
【００４２】
４０４で、旧ＭＭＥおよび新ＭＭＥは、いずれもＵＥを識別することができない場合、新ＭＭＥは、ユーザＩＤ要求（Ｉｄｅｎｔｉｔｙ  Ｒｅｑｕｅｓｔ）メッセージをＵＥに送信してＩＭＳＩを要求し、ＵＥは、ユーザＩＤ応答（Ｉｄｅｎｔｉｔｙ  Ｒｅｓｐｏｎｓｅ）メッセージで応答する。
【００４３】
４０５で、ネットワークにおいて、ＵＥコンテキストがない場合、ユーザ身分認証（Ａｕｔｈｅｎｔｉｃａｔｉｏｎ）を行い、ＵＥコンテキストがある場合、本ステップをスキップしてもよい。
【００４４】
４０６で、新ＭＭＥにおいて、アクティブされたベアラコンテキストがある場合、相関のゲートウェイに対し、該コンテキストを削除するよう通知し、具体的に、ベアラ削除要求（Ｄｅｌｅｔｅ  Ｂｅａｒｅｒ  Ｒｅｑｕｅｓｔ）メッセージおよびベアラ削除応答（Ｄｅｌｅｔｅ  Ｂｅａｒｅｒ  Ｒｅｓｐｏｎｓｅ）メッセージのやり取りによって完成する。
【００４５】
４０７で、ＭＭＥが、前回のデタッチ（ｄｅｔａｃｈ）から変化し、または、初めてアタッチする場合、ＭＭＥは、ＭＭＥ識別子およびＩＭＳＩが付けられているロケーション更新（Ｕｐｄａｔｅ  Ｌｏｃａｔｉｏｎ）メッセージを、ＨＳＳへ送信する。
【００４６】
４０８で、ＨＳＳは、ロケーション削除（Ｃａｎｃｅｌ  Ｌｏｃａｔｉｏｎ）メッセージを送信することにより、旧ＭＭＥに対し、ＭＭＥコンテキストおよびベアラコンテキストを削除するよう通知し、旧ＭＭＥは、ロケーション削除確認応答（Ｃａｎｃｅｌ  Ｌｏｃａｔｉｏｎ  Ａｃｋ）メッセージで、ＨＳＳに応答する。
【００４７】
４０９で、旧ＭＭＥにおいて、アクティブされたベアラコンテキストがある場合、旧ＭＭＥは、相関のゲートウェイに対し、ベアラコンテキストを削除するよう通知し、具体的に、ベアラ削除要求メッセージおよびベアラ削除応答メッセージのやり取りによって完成する。
【００４８】
４１０で、ＨＳＳは、ＩＭＳＩおよび加入データを含む加入データ挿入（Ｉｎｓｅｒｔ  Ｓｕｂｓｃｒｉｂｅｒ  Ｄａｔａ）メッセージを、新ＭＭＥへ送信する。該加入データにおいて、デフォルトＡＰＮの情報、ユーザ静的ＩＰアドレスリストおよび対応するＡＰＮの情報が含まれる。新ＭＭＥは、新トラッキングエリア（ＴＡ）におけるＵＥの存在状況を検証し、全ての検証に成功する場合、ＵＥコンテキストを構成し、かつ、加入データ挿入確認応答（Ｉｎｓｅｒｔ  Ｓｕｂｓｃｒｉｂｅｒ  Ｄａｔａ  Ａｃｋ）メッセージを、ＨＳＳへ返信する。
【００４９】
４１１で、ＨＳＳは、ロケーション更新確認応答（Ｕｐｄａｔｅ  Ｌｏｃａｔｉｏｎ  Ａｃｋ）メッセージを、新ＭＭＥへ応答する。
【００５０】
４１２で、新ＭＭＥは、Ｓ−ＧＷを選択した後、デフォルトベアラ確立要求（Ｃｒｅａｔｅ  Ｄｅｆａｕｌｔ  Ｂｅａｒｅｒ  Ｒｅｑｕｅｓｔ）メッセージを、Ｓ−ＧＷへ送信する。該メッセージにおいて、ＩＭＳＩ、ＭＭＥコンテキスト識別子、無線アクセス技術のタイプ（ＲＡＴ  ｔｙｐｅ）、デフォルトベアラのサービス品質（ＱｏＳ）、Ｐ−ＧＷのアドレス情報、ユーザ静的ＩＰアドレスおよびその対応するＡＰＮの情報が含まれる。
【００５１】
ここで、新ＭＭＥは、ユーザ静的ＩＰアドレスおよびその対応するＡＰＮ、並びにデフォルトＡＰＮのために、それぞれデフォルトベアラの確立プロセスを起動してもよく、合わせてデフォルトベアラを確立してもよい。
【００５２】
Ｓ−ＧＷは、受信されたユーザ静的ＩＰアドレスリストおよび対応するＡＰＮリストを分析し、該ＡＰＮリストに対応するＰ−ＧＷと、デフォルトＰ−ＧＷと、が同じ場合、ステップ４１３およびステップ４１５だけを実行し、ステップ４１３ａおよびステップ４１５ａをスキップし、該ＡＰＮリストに対応するＰ−ＧＷまたはＰ−ＧＷリストと、デフォルトＰ−ＧＷとが異なる場合、ステップ４１３ａおよびステップ４１５ａも実行する必要がある。
【００５３】
４１３で、Ｓ−ＧＷは、進化したパケットシステムのベアラ（ＥＰＳ  ｂｅａｒｅｒ）テーブルに、新レコードを作成し、上記の情報（ＩＭＳＩ、ＭＭＥコンテキスト識別子、ＲＡＴのタイプ、デフォルトベアラＱｏＳ、ＰＤＮのアドレス情報、ユーザ静的ＩＰアドレスおよびその対応するＡＰＮの情報）を保存し、Ｃｒｅａｔｅ  Ｄｅｆａｕｌｔ  Ｂｅａｒｅｒ  ＲｅｑｕｅｓｔメッセージをデフォルトＰ−ＧＷへ送信する。該メッセージにおいて、ユーザプレーンのＳ−ＧＷのアドレス、ユーザプレーンのＳ−ＧＷのトンネル識別子（ＴＥＩＤ）、制御プレーンのＳ−ＧＷ  ＴＥＩＤ、ＲＡＴのタイプ、デフォルトベアラＱｏＳ、並びに、ＰＤＮのアドレス情報、ユーザ静的ＩＰアドレスリストおよびその対応するＡＰＮの情報が含まれる。
【００５４】
４１３ａで、Ｓ−ＧＷは、デフォルトベアラ確立要求メッセージを、ユーザ静的ＩＰアドレスに対応するＡＰＮ（Ｐ−ＧＷ（ｐｒｉｖａｔｅ））に送信する。該メッセージにおいて、ユーザ静的ＩＰアドレス、Ｓ−ＧＷのアドレス、および、ユーザ静的ＩＰアドレスに対応するＡＰＮの情報が含まれる。
【００５５】
４１４で、ＰＣＲＦを採用すれば、Ｐ−ＧＷは、ＰＣＲＦとやり取りして（ＰＣＲＦ  Ｉｎｔｅｒａｃｔｉｏｎ）、デフォルトのポリシーおよび課金制御ルール（ＰＣＣ  ｒｕｌｅｓ）を得る。
【００５６】
４１５で、Ｐ−ＧＷ（ｄｅｆａｕｌｔ）は、デフォルトベアラ確立応答（Ｃｒｅａｔｅ  Ｄｅｆａｕｌｔ  Ｂｅａｒｅｒ  Ｒｅｓｐｏｎｓｅ）メッセージを、Ｓ−ＧＷへ返信する。該メッセージにおいて、ユーザプレーンのＰ−ＧＷのアドレス、ユーザプレーンのＰ−ＧＷ  ＴＥＩＤ、制御プレーンのＰ−ＧＷ  ＴＥＩＤ、および、ＰＤＮのアドレス情報が含まれる。
【００５７】
４１５ａで、Ｐ−ＧＷ（ｐｒｉｖａｔｅ）は、デフォルトベアラ確立応答メッセージをＳ−ＧＷへ送信する。該メッセージにおいて、Ｐ−ＧＷのアドレス情報、ユーザプレーンのＰ−ＧＷ  ＴＥＩＤ、制御プレーンのＰ−ＧＷ  ＴＥＩＤ、および、ユーザ静的ＩＰアドレス情報が含まれる。Ｓ−ＧＷは、該Ｐ−ＧＷのアドレスをＵＥコンテキストに保存する。
【００５８】
４１６で、Ｓ−ＧＷは、Ｃｒｅａｔｅ  Ｄｅｆａｕｌｔ  Ｂｅａｒｅｒ  Ｒｅｓｐｏｎｓｅメッセージを、新ＭＭＥへ返信する。該メッセージにおいて、ＰＤＮのアドレス情報、ユーザプレーンのＳ−ＧＷのアドレス、ユーザプレーンのＳ−ＧＷ  ＴＥＩＤ、および、Ｓ−ＧＷコンテキスト識別ＩＤの情報が含まれ、ユーザ静的ＩＰアドレス、対応するＡＰＮの情報、および、ユーザ静的ＩＰアドレスに対応するＡＰＮに対応Ｐ−ＧＷのアドレスも含まれる。
【００５９】
４１７で、新ＭＭＥは、アタッチ受け入れ（Ａｔｔａｃｈ  Ａｃｃｅｐｔ）メッセージを、ｅＮｏｄｅＢへ送信する。該メッセージにおいて、Ｓ−ＴＭＳＩ、ＰＤＮのアドレス情報、ＴＡリスト、ユーザ静的ＩＰアドレスリスト、および、対応するＡＰＮリストが含まれる。その目的として、ＵＥがユーザ静的ＩＰアドレスを再度確認することを可能にする。
【００６０】
４１８で、ｅＮｏｄｅＢは、Ａｔｔａｃｈ  Ａｃｃｅｐｔメッセージを含む無線ベアラ確立要求（Ｒａｄｉｏ  Ｂｅａｒｅｒ  Ｅｓｔａｂｌｉｓｈｍｅｎｔ  Ｒｅｑｕｅｓｔ）メッセージを、ＵＥへ送信する。
【００６１】
４１９で、ＵＥは、アタッチ完了（Ａｔｔａｃｈ  Ｃｏｍｐｌｅｔｅ）メッセージを含む無線ベアラ確立応答（Ｒａｄｉｏ  Ｂｅａｒｅｒ  Ｅｓｔａｂｌｉｓｈｍｅｎｔ  Ｒｅｓｐｏｎｓｅ）メッセージを、ｅＮｏｄｅＢへ送信する。
【００６２】
４２０で、ｅＮｏｄｅＢは、Ａｔｔａｃｈ  Ｃｏｍｐｌｅｔｅメッセージを、新ＭＭＥに転送する。該メッセージは、Ｓ１−ＭＭＥインタフェースの制御メッセージである初期コンテキスト設定完了（Ｉｎｉｔｉａｌ  Ｃｏｎｔｅｘｔ  Ｓｅｔｕｐ  Ｃｏｍｐｌｅｔｅ）メッセージに含まれる。該初期コンテキスト設定完了メッセージには、さらに、下りパケットデータ送信用のｅＮｏｄｅＢ  ＴＥＩＤ（ｓ）およびｅＮｏｄｅＢのアドレスが含まれる。
【００６３】
４２１で、新ＭＭＥは、ｅＮｏｄｅＢのアドレスおよびｅＮｏｄｅＢ  ＴＥＩＤ（ｓ）を含むベアラ更新要求（Ｕｐｄａｔｅ  Ｂｅａｒｅｒ  Ｒｅｑｕｅｓｔ）メッセージを、Ｓ−ＧＷへ送信する。
【００６４】
４２２で、Ｓ−ＧＷは、ベアラ更新応答（Ｕｐｄａｔｅ  Ｂｅａｒｅｒ  Ｒｅｓｐｏｎｓｅ）メッセージを送信することで、新ＭＭＥに応答する。これにより、Ｓ−ＧＷはバッファされた下りデータを送信することができる。
【００６５】
４２３で、新ＭＭＥは、Ｕｐｄａｔｅ  Ｂｅａｒｅｒ  Ｒｅｓｐｏｎｓｅメッセージを受信した後、ＥＰＳベアラが確立された場合、ｎｏｎ−３ＧＰＰアクセスモビリティに関連するＰ−ＧＷのアドレスを含むロケーション更新要求（Ｕｐｄａｔｅ  Ｌｏｃａｔｉｏｎ  Ｒｅｑｕｅｓｔ）メッセージを、ＨＳＳへ送信する。
【００６６】
４２４で、ＨＳＳは、Ｐ−ＧＷのアドレスを保存し、ロケーション更新応答（Ｕｐｄａｔｅ  Ｌｏｃａｔｉｏｎ  Ｒｅｓｐｏｎｓｅ）メッセージを、新ＭＭＥに送信する。
【００６７】
図５は、本発明の好ましい実施例の方法におけるＰ−ＧＷにより起動される専用ベアラ確立プロセスを示す図である。該専用ベアラ確立プロセスは、３ＧＰＰ  ＴＳ２３．４０１標準で決定されたベアラ確立プロセスを使用したものである。具体的に、以下のように説明する。
【００６８】
５０１で、ポリシーおよび課金ルール機能（ＰＣＲＦ）は、Ｐ−ＧＷに対してポリシーおよび課金制御決定提供（ＰＣＣ  Ｄｅｃｉｓｉｏｎ  Ｐｒｏｖｉｓｉｏｎ）を行う。
【００６９】
５０２で、下りパケットデータユニット（ＤＬ  ＰＤＵ）が到着し、Ｐ−ＧＷは、専用ベアラ確立要求（Ｃｒｅａｔｅ  Ｄｅｄｉｃａｔｅｄ  Ｂｅａｒｅｒ  Ｒｅｑｕｅｓｔ）メッセージを、Ｓ−ＧＷへ送信する。
【００７０】
５０３で、Ｓ−ＧＷは、Ｃｒｅａｔｅ  Ｄｅｄｉｃａｔｅｄ  Ｂｅａｒｅｒ  Ｒｅｑｕｅｓｔメッセージを、ＭＭＥへ送信する。
【００７１】
５０４で、ＭＭＥは、ベアラ設定要求（Ｂｅａｒｅｒ  Ｓｅｔｕｐ  Ｒｅｑｕｅｓｔ）メッセージを、ｅＮｏｄｅＢへ送信する。
【００７２】
５０５で、ｅＮｏｄｅＢは、無線ベアラ設定要求（Ｒａｄｉｏ  Ｂｅａｒｅｒ  Ｓｅｔｕｐ  Ｒｅｑｕｅｓｔ）メッセージを、ＵＥへ送信する。
【００７３】
５０６で、ＵＥは、無線ベアラ設定応答（Ｒａｄｉｏ  Ｂｅａｒｅｒ  Ｓｅｔｕｐ  Ｒｅｓｐｏｎｓｅ）メッセージを、ｅＮｏｄｅＢへ送信する。
【００７４】
５０７で、ｅＮｏｄｅＢは、ベアラ設定応答（Ｂｅａｒｅｒ  Ｓｅｔｕｐ  Ｒｅｓｐｏｎｓｅ）メッセージを、ＭＭＥへ送信する。
【００７５】
５０８で、ＭＭＥは、専用ベアラ確立応答（Ｃｒｅａｔｅ  Ｄｅｄｉｃａｔｅｄ  Ｂｅａｒｅｒ  Ｒｅｓｐｏｎｓｅ）メッセージを、Ｓ−ＧＷへ送信する。
【００７６】
５０９で、Ｓ−ＧＷは、Ｃｒｅａｔｅ  Ｄｅｄｉｃａｔｅｄ  Ｂｅａｒｅｒ  Ｒｅｓｐｏｎｓｅメッセージを、Ｐ−ＧＷへ送信する。
【００７７】
５１０で、Ｐ−ＧＷは、ポリシーおよび課金制御決定提供確認応答（ＰＣＣ  Ｐｒｏｖｉｓｉｏｎ  ＡＣＫ）メッセージを、ＰＣＲＦへ送信する。
【００７８】
図６は、本発明に係るＭＭＥにより起動されるベアラ情報削除プロセスを示す図である。該ベアラ情報削除プロセスには、ＵＥの登録解除プロセス内の、ＭＭＥからＳ−ＧＷ、Ｐ−ＧＷへ起動された、ＵＥコンテキスト解放プロセスが含まれる。該コンテキスト解放プロセスは、３ＧＰＰ  ＴＳ２３．４０１におけるフローと同じであるが、相違点が、各ステップにおけるメッセージの内容にある。具体的に、以下のように説明する。
【００７９】
６０１で、様々なトリガー要因によって、ＭＭＥは、ベアラ削除要求（Ｄｅｌｅｔｅ  Ｂｅａｒｅｒ  Ｒｅｑｕｅｓｔ）メッセージを、Ｓ−ＧＷへ送信する。ベアラ削除要求メッセージは、ベアラに対応するトンネル識別子（ＴＥＩＤ）またはＴＥＩＤリストを含むだけではなく、ユーザ静的ＩＰアドレスも含む可能性がある。具体的に、該ユーザ静的ＩＰアドレスに対応するベアラが確立された場合、ベアラ削除要求メッセージにおいて、ＴＥＩＤだけが含まれてよい（該ベアラに対応するＴＥＩＤ識別子情報がＭＭＥに保存されている）。該ユーザ静的ＩＰアドレスに対応するベアラが確立されていない場合、ベアラ削除要求メッセージにおいて、ユーザ静的ＩＰアドレスが含まれる必要がある。
【００８０】
６０２で、Ｓ−ＧＷは、ベアラ削除要求メッセージを受信した後、ＴＥＩＤ識別子に従って、ローカルに保存されたＵＥコンテキスト情報を検索し、かつ、ＴＥＩＤ識別子を含むＤｅｌｅｔｅ  Ｂｅａｒｅｒ  Ｒｅｑｕｅｓｔメッセージを、Ｐ−ＧＷへ送信し、Ｐ−ＧＷによってＵＥコンテキスト情報を削除し、Ｓ−ＧＷにより受信されたベアラ削除要求メッセージにおいて、ユーザ静的ＩＰアドレスが含まれる場合、Ｓ−ＧＷで保存されたＵＥコンテキストにおけるユーザ静的ＩＰアドレスに対応するＰ−ＧＷのアドレスに従って、Ｄｅｌｅｔｅ  Ｂｅａｒｅｒ  Ｒｅｑｕｅｓｔメッセージを引き続き利用して、Ｐ−ＧＷに対し、ＵＥコンテキストを削除するよう指示する。
【００８１】
６０３で、Ｐ−ＧＷは、ＵＥコンテキストを成功的に削除した後、ベアラ削除応答（Ｄｅｌｅｔｅ  Ｂｅａｒｅｒ  Ｒｅｓｐｏｎｓｅ）メッセージを、Ｓ−ＧＷへ送信する。
【００８２】
６０４で、Ｓ−ＧＷは、全ての関連するＰ−ＧＷの削除成功応答メッセージを受信した後、Ｄｅｌｅｔｅ  Ｂｅａｒｅｒ  Ｒｅｓｐｏｎｓｅメッセージを、ＭＭＥへ送信して、Ｐ−ＧＷがＵＥコンテキストを成功的に削除した旨を指示する。
【００８３】
図７は、本発明の実施例に係るＴＡ更新プロセスを示す図である。該ＴＡ更新プロセスには、ユーザ静的ＩＰアドレスに対する関連処理プロセスが含まれる。具体的に、以下のように説明する。
【００８４】
７０１で、ＵＥは、新ＴＡエリアに入ることを検出した。
【００８５】
７０２で、ＵＥは、進化する一時移動加入者識別子（Ｓ−ＴＭＳＩ）、旧トラッキングエリア識別子（ｏｌｄ  ＴＡＩ）、および、アクティブフラグ（ａｃｔｉｖｅ  ｆｌａｇ）を含むトラッキングエリア更新要求（ＴＡＵ  ｒｅｑｕｅｓｔ）メッセージを、新ＭＭＥへ送信する。
【００８６】
７０３で、新ＭＭＥは、旧ＭＭＥに対して、コンテキスト要求／応答（Ｃｏｎｔｅｘｔ  Ｒｅｑｕｅｓｔ／Ｒｅｓｐｏｎｓｅ）プロセスを起動して、旧ＭＭＥから、該ＵＥのＭＭＥコンテキストを得る。該ＭＭＥコンテキストにおいて、ＩＭＳＩ、認証ベクトル、ベアラコンテキスト、Ｓ−ＧＷシグナリングアドレスとＴＥＩＤ、および、加入データなどの内容が含まれる。ここで、ユーザ静的ＩＰアドレスと、対応するＡＰＮとは、加入データの内容に属するものであり、Ｐ−ＧＷアドレスは、ベアラコンテキストの内容に属するものである。
【００８７】
７０４で、ＵＥとＭＭＥとＨＳＳとの間の認証（Ａｕｔｈｅｎｔｉｃａｔｉｏｎ）プロセスを行う。
【００８８】
７０５で、新ＭＭＥは、コンテキスト確認応答（Ｃｏｎｔｅｘｔ  ＡＣＫ）メッセージを、旧ＭＭＥへ送信する。
【００８９】
７０６で、新ＭＭＥは、該ＵＥのためにＭＭＥコンテキストを構成し、かつ、Ｓ−ＧＷリロケーションプロセスを行うかどうかを決定し、Ｓ−ＧＷリロケーションを行う必要がある場合、ＩＭＳＩ、ベアラコンテキスト、ＭＭＥコンテキスト識別子、加入したユーザ静的ＩＰアドレスリスト、および、対応するＡＰＮの情報が付けられるベアラ確立要求（Ｃｒｅａｔｅ  Ｂｅａｒｅｒ  Ｒｅｑｕｅｓｔ）メッセージを、新Ｓ−ＧＷへ送信する。
【００９０】
新Ｓ−ＧＷは、ユーザ静的ＩＰアドレスリスト、および、対応するＡＰＮリストを分析し、該ＡＰＮリストに対応するＰ−ＧＷと、デフォルトベアラに対応するＰ−ＧＷと、が同じ場合、ステップ７およびステップ８を実行して、ステップ９およびステップ１０をスキップし、該ＡＰＮリストに対応するＰ−ＧＷまたはＰ−ＧＷリストと、デフォルトベアラに対応するＰ−ＧＷとが異なる場合、ステップ９およびステップ１０を実行する必要もある。
【００９１】
７０７で、新Ｓ−ＧＷは、Ｓ−ＧＷのアドレス、Ｓ−ＧＷ  ＴＥＩＤ、および、ユーザ静的ＩＰアドレス（または、ユーザ静的ＩＰアドレスリスト）の情報を含むベアラ更新要求（Ｕｐｄａｔｅ  Ｂｅａｒｅｒ  Ｒｅｑｕｅｓｔ）メッセージを、デフォルトＰ−ＧＷへ送信する。
【００９２】
７０８で、デフォルトＰ−ＧＷは、ユーザ静的ＩＰアドレス情報リストを保存して、ベアラコンテキスト情報を更新し、それから、Ｐ−ＧＷアドレスおよびＴＥＩＤ情報を含むベアラ更新応答（Ｕｐｄａｔｅ  Ｂｅａｒｅｒ  Ｒｅｓｐｏｎｓｅ）メッセージを返信する。
【００９３】
７０９で、新Ｓ−ＧＷは、ＵＥにサービスするＳ−ＧＷのアドレス、ユーザ静的ＩＰアドレスリストの情報を含むベアラ更新要求メッセージを、ユーザ静的ＩＰアドレスリストに対応するＡＰＮ（Ｐ−ＧＷ）へ送信する。
【００９４】
７１０で、Ｐ−ＧＷは、保存された内容を更新した後、Ｐ−ＧＷのアドレスを含むベアラ更新応答メッセージを、新Ｓ−ＧＷへ応答する。
【００９５】
７１１で、新Ｓ−ＧＷは、ベアラコンテキストを更新し、ユーザ静的ＩＰアドレスリストに対応するＰ−ＧＷのアドレスを記録し、このように、ｅＮｏｄｅＢからのベアラパケットデータユニットを、Ｐ−ＧＷ（該Ｐ−ＧＷが既にベアラを確立した）にルーティングすることができ、かつ、ベアラ確立応答（Ｃｒｅａｔｅ  Ｂｅａｒｅｒ  Ｒｅｓｐｏｎｓｅ）メッセージを、新ＭＭＥへ送信する。
【００９６】
７１２で、新ＭＭＥとＨＳＳとの間のロケーション更新／確認応答／完了（Ｕｐｄａｔｅ  Ｌｏｃａｔｉｏｎ／Ａｃｋ／Ｃｏｍｐｌｅｔｅ）プロセスを実行する。該プロセスには、ＨＳＳが、旧ＭＭＥに対し、位置情報を削除するよう通知するプロセスが含まれる。
【００９７】
７１３で、新ＭＭＥは、有効的に更新された加入データを受信した後、新ＴＡにおけるＵＥの存在状況を検証し、全ての検証に成功した後、Ｓ−ＴＭＳＩおよびＴＡリストを含むトラッキングエリア更新受け入れ（ＴＡＵ  Ａｃｃｅｐｔ）メッセージを、ＵＥへ送信し、Ａｃｔｉｖｅ  ｆｌａｇが設定された場合、ユーザプレーンの確立プロセスがアクティブされる。
【００９８】
７１４で、Ｓ−ＴＭＳＩが変化した場合、ＵＥは、トラッキングエリア更新完了（ＴＡＵ  Ｃｏｍｐｌｅｔｅ）メッセージにより、ＭＭＥに応答して、Ｓ−ＴＭＳＩが既に受信されたことを表す。
【００９９】
７１５で、旧ＭＭＥと旧Ｓ−ＧＷとの間で、ベアラリソースを削除する（Ｄｅｌｅｔｅ  Ｂｅａｒｅｒ）。
【０１００】
上記のように、上記方法は、ＬＴＥ／ＳＡＥシステムにおいて、ユーザが、ｎｏｎ−３ＧＰＰアクセスシステムにより登録する場合のユーザ静的ＩＰアドレスのアドレッシングにも応用できる。この場合で、ユーザ加入情報が、３ＧＰＰ認証サーバ（ＡＡＡ  Ｓｅｒｖｅｒ）によって、ｎｏｎ−３ＧＰＰシステムのＡ−ＧＷにダウンロードされ、Ａ−ＧＷは、加入情報におけるユーザ静的ＩＰアドレス、および、対応するＡＰＮの情報に従って、相応するＰ−ＧＷに対して、ＩＰベアラ確立プロセスを起動し、あるいは、後続の専用ＩＰベアラ確立の起動を便利にするために、Ｐ−ＧＷに対し関連情報を保存するよう通知する。
【０１０１】
また、本発明の実施例では、ＬＴＥシステムにおいて、ユーザ静的ＩＰアドレスのアドレッシングをサポートするシステムが開示されている。該システムは、
ユーザがネットワーク登録を行う際、ユーザ静的ＩＰアドレスと、対応するＡＰＮの情報とを含むユーザ加入データを、ＭＭＥにダウンロードするＨＳＳと、
デフォルトベアラ確立要求メッセージによって、ユーザ静的ＩＰアドレス、および、対応するＡＰＮの情報を、Ｓ−ＧＷに送信するＭＭＥと、
ユーザ静的ＩＰアドレス、および、該ユーザにサービスするＳ−ＧＷのアドレスを、アクセスポイントネームに対応するＰ−ＧＷに送信するＳ−ＧＷと、
ユーザ静的ＩＰアドレス、ＡＰＮの情報、および、該ユーザにサービスするＳ−ＧＷのアドレスに従って、デフォルトベアラを確立するＰ−ＧＷと、を含む。
【０１０２】
ここで、ＭＭＥは、ダウンロードされた加入データから、上記ユーザ静的ＩＰアドレスに対応するＡＰＮに対応するＰ−ＧＷのアドレスを得、または、ダウンロードされた前記ＡＰＮの情報を解析することにより、ユーザ静的ＩＰアドレスに対応するＡＰＮに対応するＰ−ＧＷのアドレスを得、それから、デフォルトベアラ確立要求メッセージによって、得られたＰ−ＧＷのアドレスを、Ｓ−ＧＷに送信するようにしてもよい。あるいは、Ｓ−ＧＷは、ＭＭＥから受信された前記ＡＰＮの情報を解析することをＤＮＳに要求して、ユーザ静的ＩＰアドレスに対応するＡＰＮに対応するＰ−ＧＷのアドレスを得るようにしてもよい。
【０１０３】
また、Ｓ−ＧＷは、前記対応するＡＰＮとデフォルトＡＰＮとが同じ場合、または、１つだけのＡＰＮがある場合、ユーザ静的ＩＰアドレス、対応するＡＰＮの情報、および、該ユーザにサービスするＳ−ＧＷのアドレスを、デフォルトベアラ確立要求メッセージによって、デフォルトＡＰＮに対応するＰ−ＧＷに送信する一方、前記対応するＡＰＮとデフォルトＡＰＮとが異なる場合、ユーザ静的ＩＰアドレス、対応するＡＰＮの情報、および、該ユーザにサービスするＳ−ＧＷのアドレスを、デフォルトベアラ確立要求メッセージ、または、通知専用コンテキスト要求メッセージによって、前記対応するＡＰＮの情報に対応するＰ−ＧＷに送信するようにしてもよい。
【０１０４】
下りパケットデータがＰ−ＧＷに到着すると、Ｐ−ＧＷは、相応するデフォルトベアラが確立されたかどうかを判断し、デフォルトベアラが確立された、かつ、下りパケットデータのＱｏＳ要求を満たすことができる場合、確立されたデフォルトベアによって、前記下りパケットデータを転送し、そうでない場合、ユーザ静的ＩＰアドレス、対応するＡＰＮの情報、および、該ユーザにサービスするＳ−ＧＷのアドレスに従って、相応する専用ベアラを確立し、かつ、前記専用ベアラによって、前記下りパケットデータを転送する。
【０１０５】
ユーザがネットワーク登録解除を行う際、ＭＭＥは、ユーザ静的ＩＰアドレスに対応するデフォルトベアが確立されたかどうかを判断し、デフォルトベアラが確立された場合、ユーザ静的ＩＰアドレスが付けられるベアラ削除要求メッセージを、Ｓ−ＧＷに送信し、デフォルトベアラが確立されていない場合、ベアラに対応するトンネル識別子（ＴＥＩＤ）またはＴＥＩＤリストが付けられるベアラ削除要求メッセージを、Ｓ−ＧＷに送信する。Ｓ−ＧＷは、受信されたベアラ削除要求メッセージをＰ−ＧＷに送信する。Ｐ−ＧＷは、受信されたベアラ削除要求メッセージに、ユーザ静的ＩＰアドレスが付けられる場合、前記ユーザ静的ＩＰアドレスに関連するコンテキストを削除し、受信されたベアラ削除要求メッセージに、ベアラに対応するトンネル識別子（ＴＥＩＤ）またはＴＥＩＤリストが付けられる場合、前記ＴＥＩＤまたはＴＥＩＤリストに関連するコンテキストを削除する。
【０１０６】
ユーザがトラッキングエリア更新、または、Ｓ−ＧＷリロケーションを行う際、ＭＭＥは、デフォルトベアラ確立要求メッセージによって、ユーザ静的ＩＰアドレス、および、対応するＡＰＮの情報を、Ｓ−ＧＷに送信する。Ｓ−ＧＷは、デフォルトベアラ確立要求メッセージを受信した後、ユーザ静的ＩＰアドレスに対応するＡＰＮと、デフォルトＡＰＮとが同じ場合、デフォルトＡＰＮに対応するＰ−ＧＷに対し、ベアラ更新要求プロセスを行うことにより、該Ｐ−ＧＷに保存されたコンテキスト情報を更新し、ユーザ静的ＩＰアドレスに対応するＡＰＮと、デフォルトＡＰＮとが異なる場合、ユーザ静的ＩＰアドレスに対応するＡＰＮに対応するＰ−ＧＷに対し、ベアラ更新要求プロセス、または、通知専用コンテキスト要求プロセスをトリガーすることにより、該Ｐ−ＧＷに保存されたコンテキスト情報を更新する。
【０１０７】
また、本発明の実施例では、ＬＴＥシステムにおいて、ユーザ静的ＩＰアドレスのアドレッシングをサポートするシステムにおけるＭＭＥ、Ｓ−ＧＷおよびＰ−ＧＷが開示されている。
【０１０８】
ここで、ＭＭＥは、ホーム加入者サーバ（ＨＳＳ）から、ユーザ静的ＩＰアドレスと、対応するアクセスポイントネーム（ＡＰＮ）の情報とを含むユーザ加入データをダウンロードする第１モジュールと、デフォルトベアラ確立要求メッセージによって、ユーザ静的ＩＰアドレス、および、対応するＡＰＮの情報を、サービスゲートウェイ（Ｓ−ＧＷ）に送信する第２モジュールと、を含む。
【０１０９】
前記ユーザ加入データにおいて、ユーザ静的ＩＰアドレスに対応するＡＰＮに対応するパケットデータゲートウェイ（Ｐ−ＧＷ）のアドレスがさらに含まれる場合、上記第２モジュールは、さらに、デフォルトベアラ確立要求メッセージによって、ユーザ静的ＩＰアドレスに対応するＡＰＮに対応するパケットデータゲートウェイ（Ｐ−ＧＷ）のアドレスを、Ｓ−ＧＷに送信する。
【０１１０】
前記ユーザ加入データにおいて、ユーザ静的ＩＰアドレスに対応するＡＰＮに対応するパケットデータゲートウェイ（Ｐ−ＧＷ）のアドレスが含まれない場合、ＭＭＥは、ダウンロードされた前記ＡＰＮの情報を解析して、ユーザ静的ＩＰアドレスに対応するＡＰＮに対応するＰ−ＧＷのアドレスを得る第３モジュールを、さらに含んでもよい。この場合、上記第２モジュールは、さらに、解析して得られた、ユーザ静的ＩＰアドレスに対応するＡＰＮに対応するパケットデータゲートウェイ（Ｐ−ＧＷ）のアドレスを、デフォルトベアラ確立要求メッセージによって、Ｓ−ＧＷに送信する。
【０１１１】
本発明の実施例により提供されたＳ−ＧＷは、モビリティ管理エンティティ（ＭＭＥ）から、ユーザ静的ＩＰアドレス、および、対応するアクセスポイントネーム（ＡＰＮ）の情報を受信する第１モジュールと、受信されたユーザ静的ＩＰアドレス、および、対応するアクセスポイントネーム（ＡＰＮ）の情報、並びに、該ユーザにサービスするサービスゲートウェイ（Ｓ−ＧＷ）のアドレスを、ユーザ静的ＩＰアドレスに対応するＡＰＮに対応するパケットデータゲートウェイ（Ｐ−ＧＷ）に送信する第２モジュールと、を含む。Ｓ−ＧＷは、受信された前記ＡＰＮの情報を解析することをドメインネームサーバ（ＤＮＳ）に要求して、ユーザ静的ＩＰアドレスに対応するＡＰＮに対応するＰ−ＧＷのアドレスを得る第３モジュールを、さらに含んでもよい。
【０１１２】
本発明の実施例により提供されたＰ−ＧＷは、サービスゲートウェイ（Ｓ−ＧＷ）から受信されたユーザ静的ＩＰアドレス、対応するＡＰＮの情報、および、該ユーザにサービスするＳ−ＧＷのアドレスに従って、デフォルトベアラを確立する第１モジュールを、含む。Ｐ−ＧＷは、宛先アドレスが前記ユーザ静的ＩＰアドレスである下りパケットデータが到着すると、相応するデフォルトベアラが確立されたかどうかを判断し、デフォルトベアラが確立された、かつ、下りパケットデータのサービス品質（ＱｏＳ）要求を満たすことができる場合、確立されたデフォルトベアラによって、前記下りパケットデータを転送し、そうでない場合、ユーザ静的ＩＰアドレス、対応するＡＰＮの情報、および、該ユーザにサービスするＳ−ＧＷのアドレスに従って、相応する専用ベアラを確立し、かつ、前記専用ベアラによって、前記下りパケットデータを転送する第２モジュールを、さらに含んでもよい。
【０１１３】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【０１１４】
ＬＴＥ      Long Term Evolution、長期的進化、ロング・ターム・エボリューション
ＨＳＳ      ホーム加入者サーバ
ＡＰＮ      アクセスポイントネーム
ＭＭＥ      モビリティ管理エンティティ
Ｓ−ＧＷ    サービスゲートウェイ
Ｐ−ＧＷ    パケットデータゲートウェイ
ＤＮＳ      ドメインネームサーバ
【図１】
2010539758.tif 000003
【図２】
2010539758.tif 000004
【図３】
2010539758.tif 000005
【図４】
2010539758.tif 000006
【図５】
2010539758.tif 000007
【図６】
2010539758.tif 000008
【図７】
2010539758.tif 000009
【手続補正書】
【提出日】平成22年5月13日(2010.5.13)
【手続補正１】
【補正対象書類名】明細書
【補正対象項目名】００９０
【補正方法】変更
【補正の内容】
【００９０】
新Ｓ−ＧＷは、ユーザ静的ＩＰアドレスリスト、および、対応するＡＰＮリストを分析し、該ＡＰＮリストに対応するＰ−ＧＷと、デフォルトベアラに対応するＰ−ＧＷと、が同じ場合、ステップ７０７およびステップ７０８を実行して、ステップ７０９およびステップ７１０をスキップし、該ＡＰＮリストに対応するＰ−ＧＷまたはＰ−ＧＷリストと、デフォルトベアラに対応するＰ−ＧＷとが異なる場合、ステップ７０９およびステップ７１０を実行する必要もある。
【手続補正２】
【補正対象書類名】図面
【補正対象項目名】図６
【補正方法】変更
【補正の内容】
【図６】
2010539758.tif 000010
【国際調査報告】
2010539758.tif 000011
2010539758.tif 000012
2010539758.tif 000013
2010539758.tif 000014